(57)【要約】      （修正有）【課題】書類を挟んで簡単に持ち運びでき、壁面等に設けたピンに取り付けて簡単に吊るすことができ、挟んだ書類の抜け落ちを確実に防止できるクリアファイルを提供する。【解決手段】クリアファイル１０は、クリアファイル本体１１と、これを囲んで支持する枠部材２１と、枠部材２１に取り付けられる吊下げ部材２６とを備えている。クリアファイル本体１１は、樹脂製シートが重ね合わされて、後側の樹脂製シートの左辺部と上辺部が前側の樹脂製シートの左辺部と上辺部より全縁にわたって外方にわずかに延びている。枠部材２１は、厚肉の基枠部とその内側に薄肉の支持枠部とを一体で設け、基枠部両面に溝部を設け、支持枠部にクリアファイル本体１１が固定される。吊下げ部材２６は、薄肉の板部とその一辺に一体で設けた係合部とからり、係合部にて溝部に取り付けられる。【選択図】図１
0003157481.tif 000002
【実用新案登録請求の範囲】
【請求項１】
長方形の２枚の柔軟な樹脂製シートが重ね合わされて、該両樹脂製シートの第１の長辺部と第１の短辺部が繋げられており、第２の長辺部と第２の短辺部とに連続したＬ字状の開口を設けると共にいずれか一方の前記樹脂製シートの前記第２の長辺部及び短辺部が他方の樹脂製シートの第２の長辺部及び短辺部に対して全縁にわたって外方にわずかに延びており、該両樹脂製シート間に挿入された書類を挟持可能なクリアファイル本体と、
硬質樹脂製の長方形の枠状であって、少なくとも片面側の幅方向中間位置にて全周に沿って延びた溝部を設け、幅方向内端側の全周が薄板状の支持枠部になっており、該支持枠部の全周に前記クリアファイル本体が重ね合わされて固定される枠部材と、
硬質樹脂製の板状であって、中央に吊り孔を有すると共に、一側縁にて前記枠部材の溝部に着脱可能に係合して該溝部に沿って摺動可能に取り付けられる係合部を有する吊下げ部材と
を設けたことを特徴とするクリアファイル。
【請求項２】
前記一方の樹脂製シートの前記第２の長辺部と第２の短辺部が交差する隅部領域に樹脂製の薄板である差込み片が重ね合わされて、隅部周縁にて固定されたことを特徴とする請求項１に記載のクリアファイル。
【請求項３】
前記他方の樹脂製シートの前記第２の長辺部及び第２の短辺部の少なくとも一方に半円状に凹んだ凹み部を設けたことを特徴とする請求項１又は２に記載のクリアファイル。
【考案の詳細な説明】
【技術分野】
【０００１】
本考案は、長方形の２枚の樹脂製シートが重ね合わされて、両樹脂製シートの第１の長辺部と第１の短辺部が繋ぎ合わされており、第２の長辺部と第２の短辺部とに連続したＬ字状の開口を有し、両樹脂製シート間に用紙、写真等の書類を挟持するクリアファイルに関する。
【背景技術】
【０００２】
従来のクリアファイルは、例えば特許文献１に示すように、比較的厚手に構成された樹脂製シートを折り曲げて第１の長辺部（背部分）を構成し、第１の短辺部を溶着して綴じることにより、第２の長辺部と第２の短辺部とを連続してＬ字状に開口させ、内部に書類を挿入して挟持するようにしたものである。しかし、従来のクリアファイルは、比較的厚手とはいえ柔軟性があるため、持ち運びが容易ではない。また、クリアファイルを壁や事務用の収納庫やボード等の壁面に簡単には取り付けることができなかった。例えば、クリアファイルの表面と壁面の両側に両面ファスナーや両面テープを取り付けておいて、両者を接合させることはできるが、両面ファスナー等を取り付ける手間が非常に煩雑であり不便である。また、クリアファイルの周縁部をクリップ等で挟んで、クリップで壁面に取り付けたピンに引っ掛けることにより取り付けることは可能ではあるが、取り付ける度にクリップを一々用意することは煩雑であり、またクリップの取付位置によっては、クリアファイルが開いて挟んだ書類が抜け落ちてしまうというような問題もある。
【先行技術文献】
【特許文献】
【０００３】
【特許文献１】実開２００８−１３２６４５号公報
【考案の概要】
【考案が解決しようとする課題】
【０００４】
本考案は、上記問題を解決しようとするもので、書類を挟んで簡単に持ち運びでき、壁面等に設けたピンに取り付けて簡単に吊るすことができると共に、挟んだ書類の抜け落ちを確実に防止できるクリアファイルを提供することを目的とする。
【課題を解決するための手段】
【０００５】
上記目的を達成するために、本考案の構成上の特徴は、長方形の２枚の柔軟な樹脂製シートが重ね合わされて、両樹脂製シートの第１の長辺部と第１の短辺部が繋げられており、第２の長辺部と第２の短辺部とに連続したＬ字状の開口を設けると共にいずれか一方の樹脂製シートの第２の長辺部及び短辺部が他方の樹脂製シートの第２の長辺部及び短辺部に対して全縁にわたって外方にわずかに延びており、両樹脂製シート間に挿入された書類を挟持可能なクリアファイル本体と、硬質樹脂製の長方形の枠状であって、少なくとも片面側の幅方向中間位置にて全周に沿って延びた溝部を設け、幅方向内端側の全周が薄板状の支持枠部になっており、支持枠部の全周にクリアファイル本体が重ね合わされて固定される枠部材と、硬質樹脂製の板状であって、中央に吊り孔を有すると共に、一側縁にて枠部材の溝部に着脱可能に係合して溝部に沿って摺動可能に取り付けられる係合部を有する吊下げ部材とを設けたことにある。なお、枠部材の溝部については、枠部材の片面にのみ設けてもよいが、両面に設ける方が吊下げ部材の枠部材への取り付けがより確実にされる。
【０００６】
上記のように構成した本考案においては、柔軟な樹脂製シートを重ね合わせたクリアファイル本体が、硬質樹脂製の枠部材によって支持されていることにより、柔軟なクリアファイル本体の定形性が確保され、他方の樹脂製シートを捲って両樹脂製シートの開口を開いてその間に書類を挿入することにより、両樹脂製シート間に書類がしっかりと挟持される。そのため、クリアファイルの持ち運びが容易になる。さらに、枠部材に吊下げ部材が取り付けられているため、吊下げ部材の吊り孔を壁面に設けたピン等に引っ掛けることにより、クリアファイルを壁面に簡単に吊り下げることができるので非常に便利である。また、吊下げ部材は、係合部により枠部材の何れの辺にも取り付け可能であり、摺動によりいずれの位置にも配置可能である。このように両樹脂製シートとの間に挿入された書類は、両樹脂製シートに緊密に挟まれるため、吊下げ部材が枠部材のどの位置に取り付けられても、クリアファイルを壁面に吊り下げたときに、クリアファイル本体から容易に落下しないように挟持される。
【０００７】
また、本考案において、一方の樹脂製シートの第２の長辺部と第２の短辺部が交差する隅部領域に樹脂製の薄板である差込み片が重ね合わされて、隅部周縁にて固定されることが好ましい。これにより、他方の樹脂製シートの第２の長辺部と第２の短辺部が交差する隅部を一方の樹脂製シートの隅部に固定された差込み片に差し込むことにより、他方の樹脂製シートが一方の樹脂製シートに重ね合わされて互いに開かないようにしっかり取り付けられる。その結果、吊下げ部材を枠部材のどの辺に取り付けても開口がしっかりと閉じられているため、クリアファイルを運んだり壁面に設けたピン等に引っ掛けたりしたとき、クリアファイル本体に挟んだ書類の落下を確実に防止でき、吊下げ部材の枠部材への取り付けの任意性が得られて便利である。
【０００８】
また、本考案において、他方の樹脂製シートの第２の長辺部及び第２の短辺部の少なくとも一方に半円状に凹んだ凹み部を設けることができる。これにより、密着状態で重ね合わされた両樹脂製シートの各辺が枠部材に近接しているが、他方の樹脂製シートの第２の長辺部あるいは短辺部に設けた半円状の凹み部に指を当てることにより、他方の樹脂製シートを捲って一方の樹脂製シートから簡単に剥がすことができる。
【考案の効果】
【０００９】
本考案によれば、硬質樹脂製の枠部材によって柔軟なクリアファイル本体の定形性が確保され、両樹脂製シート間に書類を確実に保持することにより、クリアファイルを簡単に持ち運びでき、さらに、吊下げ部材の吊り孔を壁面に設けたピン等に引っ掛けることにより、クリアファイルを壁面に簡単に吊り下げることができ、クリアファイル本体に挟んだ書類の落下も防止できる。特に、他方の樹脂製シートの第２の長辺部と第２の短辺部が交差する隅部を一方の樹脂製シートの隅部に固定された差込み片に差し込むことにより、他方の樹脂製シートが一方の樹脂製シートに重ね合わされて互いに開かないようにしっかり取り付けられ、クリアファイル本体に挟んだ書類の落下をさらに確実に防止できる。また、他方の樹脂製シートの第２の長辺部及び第２の短辺部の少なくとも一方に設けた半円状の凹み部に指を当てることにより、他方の樹脂製シートを捲って一方の樹脂製シートから簡単に剥がすことができる。
【図面の簡単な説明】
【００１０】
【図１】本考案の一実施例であるクリアファイルを概略的に示す正面図である。
【図２】図１のＩＩ−ＩＩ線方向の拡大断面図である。
【図３】クリアファイル本体を示す正面図である。
【図４】クリアファイル本体の前面側お樹脂製シートを捲って持ち上げた状態を概略的に示す正面図である。
【図５】枠部材を示す正面図である。
【図６】図５のＶＩ−ＶＩ線方向の断面図である。
【図７】吊下げ部材を示す拡大正面図である。
【図８】吊下げ部材を示す拡大側面図である。
【考案を実施するための形態】
【００１１】
以下、本考案の一実施例について図面を用いて説明する。図１，図２は実施例であるクリアファイルを正面図及び拡大断面図により示したものである。クリアファイル１０は、クリアファイル本体１１と、これを囲んで支持する枠部材２１と、枠部材２１に取り付けられた吊下げ部材２６とを備えている。なお、クリアファイル１０の左右上下位置については、図１の左右上下に合わせるものとする。
【００１２】
クリアファイル本体１１は、図３に示すように、長方形の２枚の透明で柔軟な樹脂製シート１２，１３が前後に重ね合わされて、両樹脂製シート１２，１３の第１の長辺部である右辺部１２ａ，１３ａと第１の短辺部である下辺部１２ｂ，１３ｂが繋ぎ合わされており、第２の長辺部である左辺部１２ｃ，１３ｃと第２の短辺部である上辺部１２ｄ，１３ｄとに連続したＬ字状の開口１４を設けている。後側の樹脂製シート１３の左辺部１３ｃと上辺部１３ｄが前側の樹脂製シート１２の左辺部１２ｃと上辺部１２ｄより全縁にわたって外方にわずかに延びている。左辺部１２ｃと１３ｃの間隔、上辺部１２ｄと１３ｄの間隔は、後述する枠部材２１の支持枠部２４の幅と同一ないしわずかに大きくなっている。
【００１３】
前側の樹脂製シート１２の上辺部１２ｄの長手方向中間位置には、所定半径の略半円形に凹んだ凹み部１５が設けられている。凹み部１５に指を引っ掛けることにより、図４に示すように、前側の樹脂製シート１２を容易に捲って樹脂製シート１３から剥がすことができる。また、樹脂製シート１２の上辺部１２ｄの右辺部１２ａ近傍位置には、略直角三角形でわずかに凹んだ端凹み部１６が設けられており、また左辺部１２ｃの下辺部１２ｂ近傍位置にも同様に略直角三角形でわずかに凹んだ端凹み部１７が設けられている。これら端凹み部１６，１７を設けることにより、前側の樹脂製シート１２がスムーズに曲げられて容易に捲り上げられるようになっている。
【００１４】
後側の樹脂製シート１３の左辺部１３ｃと上辺部１３ｄが交差する隅部領域には、樹脂製の三角形のシートである差込み片１９が重ね合わされて、隅部周縁にて固定されている。差込み片１９の形状としては、三角形に限らず円弧形、四角形等としてもよい。これにより、前側の樹脂製シート１２の左辺部１２ｃと上辺部１２ｄとが交差する隅部領域が差込み片１９内に差込み可能になっており、前側の樹脂製シート１２が後側の樹脂製シート１３に密着状態で重ね合わされてしっかりと固定される。図４に示すように、前側の樹脂製シート１２の上辺部１２ｄの凹み部１５に指を引っ掛けて樹脂製シート１３から捲ることにより簡単に持ち上げられ、開口１４から両樹脂製シート１２，１３間に書類を挿入した後、矢印に示すように戻されて後側の樹脂製シート１３に重ね合わされる。その結果、書類が両樹脂製シート１２，１３間に脱落しないように強固に挟持される。
【００１５】
クリアファイル本体１１は、通常は２枚の樹脂製シート１２，１３を並列に配置した形状に大型の樹脂製シートを打ち抜き、右辺部１２ａ，１３ａに相当する位置で折り曲げられて、下辺部１２ｂ，１３ｂを熱圧着することにより綴じ合わされる。さらに、後側の樹脂製シート１３の左辺部１３ｃと上辺部１３ｄが交差する隅部領域に差込み片１９を重ね合わせて、熱圧着により隅部周縁に固定することにより、クリアファイル本体１１が形成される。なお、下辺部１２ｂ，１３ｂの熱圧着と差込み片１９片の熱圧着については同時に行われてもよい。また、クリアファイル本体１１の形成については、上記方法に限らない。
【００１６】
枠部材２１は、図５、図６に示すように、硬質樹脂製の長方形の枠状であって、幅方向外側の厚肉の基枠部２２と、基枠部２２その内側の薄肉の支持枠部２４とを一体で設けている。基枠部２２は、厚さ方向の両面において幅方向中間位置に全周に沿って延びた一対の狭い溝部２３を設けている。支持枠部２４は、上記後側の樹脂製シート１３の外形と同一形状になっている。枠部材２１は、樹脂射出成型により一体で形成される。
【００１７】
吊下げ部材２６は、図７、図８に示すように、硬質樹脂製の横長の半月形状であって、半月形の薄肉の板部２７と、板部２７の真直ぐな側縁に一体で設けた係合部３１とからなる。板部２７は、係合部３１近傍を長手方向に延びた長孔２８ａとその中央にて直角に外方にわずかに伸びた短孔２８ｂからなる吊り孔２８を設けている。係合部３１は、板部２７の両面に取り付けられて、板部２７の延長方向に互いにわずかに離間すると共に両面に平行に伸びて先端側で対向方向にわずかに曲げられた爪部３２ａとなっている薄肉板状の一対の係合片３２と、さらに板部２７の側縁から一対の係合片３２間をその途中まで平行に伸びた中間片３３とから成っている。吊下げ部材２６は、樹脂射出成型により一体で形成される。
【００１８】
吊下げ部材２６は、係合片３２が薄肉で弾性変形可能になっており、図２に示すように、枠部材２１の隅部から基枠部２２を乗り越えて一対の爪部３２ａが両側の溝部２３に係合し、それにより、溝部２３に沿って摺動可能なようにかつ取り外し可能に枠部材２１に取り付け可能になっている。また、吊下げ部材２６は、係合部３１により枠部材２１の何れの辺にも取り付け可能であり、摺動によりいずれの位置にも配置可能である。
【００１９】
上記構成の実施例においては、柔軟な樹脂製シート１２，１３を重ね合わせたクリアファイル本体１１が、硬質樹脂製の枠部材２１によって支持されていることにより、柔軟なクリアファイル本体１１の定形性が確保される。前側の樹脂製シート１２を捲って両樹脂製シート１２，１３の開口１４を開いて、両樹脂製シート１２，１３間に書類を挿入し、さらに樹脂製シート１２の左上隅部分を差込み片１９に差し込むことにより、両樹脂製シート１２，１３間に書類が確実に挟持される。そのため、クリアファイル１０の持ち運びが容易になる。さらに、枠部材２１に吊下げ部材２６が取り付けられているため、吊下げ部材２６の吊り孔２８を壁面に設けたピン等に引っ掛けることにより、クリアファイル１０を壁面に簡単に吊り下げることができる。
【００２０】
また、両樹脂製シート１２，１３との間に挿入された書類は、両樹脂製シート１２，１３に緊密に挟まれるため、クリアファイル１０を壁面に吊り下げても、クリアファイル本体１１から落下しないように確実に保持される。さらに、樹脂製シート１２の上辺部１２ｄに凹み部１５を設けたことにより、両樹脂製シートを密着状態で重ね合わせた状態で凹み部１５に指を当てることにより、前側の樹脂製シート１２を捲って後側の樹脂製シート１３から簡単に剥がすことができる。
【００２１】
なお、上記実施例においては、樹脂製シート１３の左上隅部に差込み片１９が固定されており、前側の樹脂製シート１２の左上隅部を差し込むことができるようになっているが、必要に応じて差込み片１９を省くこともできる。これによっても、両樹脂製シート１２，１３が緊密に重ね合わされていることから、両シート間に挟まれた書類の脱落をおおむね防止することができる。また、前側の樹脂製シート１２の上辺部に凹み部１５を設け、右上と左下に端凹み部１６，１７を設けているが、これらについても必要に応じて省くことができる。また、上記実施例において、枠部材２１の両面に溝部２３を設けているが、場合によっては溝部２３を片面にのみ設けてもよく、これに応じて吊下げ部材２６の係合部３１の形状も変更してよい。その他、上記実施例に示したクリアファイルについては一例であり、本考案の趣旨を逸脱しない範囲において種々変更して実施することができる。
【産業上の利用可能性】
【００２２】
本考案のクリアファイルは、硬質樹脂製の枠部材によって柔軟なクリアファイル本体の定形性が確保され、両樹脂製シート間に書類を確実に保持することができるため、持ち運びが容易になり、さらに吊下げ部材の吊り孔を壁面に設けたピン等に引っ掛けることにより、クリアファイルを壁面に簡単に吊り下げることができ、クリアファイル本体に挟んだ書類の落下も防止できるので有用である。
【符号の説明】
【００２３】
１０…クリアファイル、１１…クリアファイル本体、１２，１３…樹脂製シート、１２ａ，１３ａ…右辺部、１２ｂ，１３ｂ…下辺部、１２ｃ，１３ｃ…左辺部、１２ｄ，１３ｄ…上辺部、１５…凹み部、１９…差込み片、２１…枠部材、２３…溝部、２４…支持枠部、２６…吊下げ部材、２８…吊り孔、３１…係合部、３２…係合片。
【図１】
0003157481.tif 000003
【図２】
0003157481.tif 000004
【図３】
0003157481.tif 000005
【図４】
0003157481.tif 000006
【図５】
0003157481.tif 000007
【図６】
0003157481.tif 000008
【図７】
0003157481.tif 000009
【図８】
0003157481.tif 000010